(57)【要約】      （修正有）【課題】極めて簡単で安価な構成により、多数の養生用シートを用いて家具などを保護してから塗装を始めるという従来の塗装前の工程を全くなくして、塗装中にぼた落ちした塗料や飛び散った塗料を塗料受けに溜めておき、それを簡単に取り除くようにするとともに、塗装作業をし易くする塗装養生具を提供する。【解決手段】軽量の素材を用い塗装ローラーの旋回範囲より広い面積をもつ皿状の塗料受けを形成し、その略中央に塗装ローラーの把手が緩挿される支持筒を取り付けた塗料受け本体と、把手の上端に前記支持筒の上端内径より大径の支持片を設けた塗装ローラーと、前記塗装受けより広い面積をもちその略中央に前記把手の挿入部を設けた養生用シートとから成るものとした。【選択図】図１
0003170546.tif 000002
【実用新案登録請求の範囲】
【請求項１】
軽量の素材を用い塗装ローラーの旋回範囲より広い面積をもつ皿状の塗料受けを形成し、その略中央に塗装ローラーの把手が緩挿される支持筒を取り付けた塗料受け本体と、把手の上端に前記支持筒の上端内径より大径の支持片を設けた塗装ローラーと、前記塗装受けより広い面積をもちその略中央に前記把手の挿入部を設けた養生用シートとの組み合わせから成る塗装用養生具。
【請求項２】
塗料受けを透明な素材で作り、その周縁に側壁を立設したことを特徴とする請求項１に記載の塗装用養生具。
【請求項３】
相対する側壁に支持部を設け、該支持部に支持帯を取り外し自在に取り付け、かつ前記二つの支持部から略等距離にある側壁に支持鉤を取り付けたことを特徴とする請求項２に記載の塗装用養生具。
【考案の詳細な説明】
【技術分野】
【０００１】  本考案は、塗装ローラーによる塗装中に生じる、塗料のぼた落ちや飛散を防ぐ養生具に関する。
【背景技術】
【０００２】  塗装ローラーによる塗装作業において、塗装中に塗料のぼた落ちや飛散が生じるのは不可避のことであるから、通常は、例えば部屋の天井の塗装であれば、四囲の壁、床及び部屋の中の家具等を養生用シートで覆って、それらを防護したうえで塗装を開始しなければならない。それには、多数の養生用シートを準備しなければならないし、多大の手間と時間を必要とする。
そこで、この問題を解決したものとして、養生用シートをほとんど不要とする特許文献１の発明が公開されている。【０００３】  この先行技術は、上部ローラーと下部ローラーを平行に並べ、それらを柄のついた箱型のカバーで上方から覆い、両ローラーの一部分が前記カバーから下方にわずか露出するように（その例として、壁面の塗装時には壁とカバー最下部との隙間を５ミリ前後とする、ことが示されている）、両ローラーをカバーの側壁に軸支している。
そして、塗装時には、塗料を上部ローラーに浸透付着させて塗装面に塗り、上部ローラーからぼた落ちした塗料や飛び散った塗料を下部ローラーで受け、又はそれらの塗料をカバー内に収めるようにしている。【０００４】  しかし、このものは、上述の構成から明らかなように、まず、ぼた落ちした塗料や飛び散った塗料を下部ローラーやカバー内から取り除くことについての考慮が全くされていない。取り除いておかないと、次回の塗装の際に、上述の機能が十全に果たされないのは明らかである。それに、下部ローラーやカバー内に蓄積された量を目視することもできない。
また、ローラーはカバーに軸支されているから、カバーを動かさずにローラーだけを旋回させて綺麗に仕上げたり、ローラーをカバーから取り外しローラーだけを手に持って塗装したりすることもできない。さらには、カバー及びローラーを作業者の体で支持し両手を自由にした状態で垂直の壁を塗装したり塗装外の作業をしたりすることもできない。
【先行技術文献】
【特許文献】
【０００５】
【特許文献１】  特開２００６−１５３１８号公報
【考案の概要】
【考案が解決しようとする課題】
【０００６】    本考案の技術課題は、上述した先行従来技術の諸問題を解決し、極めて簡単で安価な構成により、塗装中にぼた落ちした塗料や飛び散った塗料をすべて塗料受けに蓄積し、塗装を始める前に家具などを養生用シートで覆って保護するという準備工程を不要なものとするとともに、（ローラーの把手を支持筒に緩挿したまま）塗料受け本体は動かさずに又は塗料受け本体とともにローラーを旋回させて塗装したり、ローラーを塗料受け本体から引き離しローラーだけを手に持って塗装したりし、さらに、塗料受け本体及びローラー又は塗装受け本体を作業者の体の前面で支持し、その状態で、塗装したり、塗料受けに蓄積された塗料を一括して取り除く等の塗装外の作業をしたりできるようにすることにある。
【課題を解決するための手段】
【０００７】  本考案は、極めて簡単で安価な構成により、ぼた落ちした塗料や飛び散った塗料をすべて塗料受けに蓄積し、塗装を始める前に家具などを養生用シートで覆って保護するという準備工程を不要なものとするとともに、（ローラーの把手は緩挿したままで）塗料受け本体を動かさずに又は塗料受け本体とともにローラーを旋回させて塗装したり、ローラーを塗料受け本体から引き離しローラーだけを手に持って塗装したりし、塗料受けに蓄積された塗料を一括して取り除くことなどもできるようにするため、次の手段を採用した。
軽量の素材を用い塗装ローラーの旋回範囲より広い面積をもつ皿状の塗料受けを形成し、その略中央に塗装ローラーの把手が緩挿される支持筒を取り付けた塗料受け本体と、把手の上端に前記支持筒の上端内径より大径の支持片を設けた塗装ローラーと、前記塗装受けより広い面積をもちその略中央に前記把手の挿入部を設けた養生用シートから成るものとした。【０００８】  本考案は特に、ぼた落ちした塗料や飛び散った大量の塗料を塗料受けに収容し、塗料受けに蓄積された塗料の量を目視によって確かめ、その塗料を一括して取り除けるようにするため、次の手段を採用した。
塗料受けを透明な素材で作り、その周縁に側壁を立設した。【０００９】  本考案は特に、塗料受け本体及びローラー又は塗装受け本体を作業者の体の前面で支持し、その状態で、塗装したり、塗料受けに蓄積された塗料を一括して取り除いたりする塗装外の作業なども行うことができるようにするため、次の手段を採用した。
相対する側壁に支持部を設け、該支持部に支持帯を取り外し自在に取り付け、かつ前記二つの支持部から略等距離にある側壁に支持鉤を取り付けた。
【考案の効果】
【００１０】  請求項１に記載の考案によれば、次の効果が奏される。
塗装ローラーの把手を、上から、養生用シートの挿入部に突きさし、さらにその把手を塗料受け本体の支持筒に挿入すれば、それだけですぐ塗装に取りかかれる。従来は一般に、例えば部屋の天井の塗装であれば、四囲の壁、床及び部屋の中の家具等を多数の養生用シートで覆いそれらを防護したうえで塗装を開始しなければならず、その塗装前の作業に多大の手間と時間を必要としていたが、本考案によれば前記の作業だけで済む。【００１１】  塗料受けは軽量の素材でできているから、塗装ローラーとともに軽々と持ち上げて各部分の塗装をすることができる。ローラーの把手は支持筒に緩挿されているから、塗料受け本体を動かさずに（ローラーの把手を支持筒の中で回転させ）又は（ローラーの把手を支持筒の中で回転させずに）塗料受け本体とともにローラーを旋回させて塗装したり、ローラーを塗料受け本体から引き離してローラーだけを手に持って塗装したりすることができる。例えば、天井などを塗装する際にはローラーを塗料受け本体とともに一体的に旋回させたほうが塗装し易いし、天井の角などはローラーだけを旋回させたほうが綺麗に仕上げられる。細かな部分の塗装においてはローラーだけを手に持って塗装するほうがよいのは言うまでもない。【００１２】  ローラーの把手の上端には前記支持筒の上端内径より大径の支持片を設けてあるから、緩挿された把手は、支持筒の上端で受け止められ下方へ抜け落ちることがない。塗料受け本体は、把手を握る手の上部と前記支持片との間において挟持される。そして、その挟持を固くしたり（たとえば、支持筒と把手の両方を一緒に握りしめる）緩くしたり（たとえば、支持筒の握りを緩めて把手をしっかりと握る）して塗装する。具体例で言うと、天井を塗装するときは挟持を固くしローラーと塗料受け本体を一体的に旋回させ、天井の角を塗装するときは挟持を緩くしローラーの把手を支持筒の中で回転させながら塗装を行う。【００１３】  また、塗装ローラーの旋回範囲は皿状の塗装受けよりも狭い面積であり、かつ塗装受けの上にはそれよりも広い面積をもつ養生用シートが載っているから、塗装中にぼた落ちしたり飛散したりした塗料はすべて、養生用シートの上に蓄積され外方に飛び出すことがない。そして、蓄積された塗料は養生用シートとともに取り除かれる。次に塗装をするときには新しい養生用シートが用いられる。この考案によれば、部屋内の家具などを覆う必要がないから養生用シートの数は少なくて済むし、塗料受け本体などを清拭する必要もない。【００１４】  請求項２に記載の考案は、塗料受けが透明な素材で作られているから、蓄積された塗料の量を目視することができる。養生用シートが透明なものであれば、塗料の量が直接目視できるし、塗料受けとともに天井などの塗装個所を透視し塗装状態を確かめながら塗装することもできる。養生用シートが不透明なものであっても、シートの変形の状態などから蓄積された塗料の量を察知することができる。【００１５】  また、塗料受けの周縁には側壁が立設されているから、塗装中にぼた落ちしたり飛散したりした塗料が外に飛び出る恐れを皆無にすることができ、養生用シートの中には、皿状の塗料受けよりもさらに多くの塗料が蓄積される。図４（ｃ）に示す��うに、塗料受けの前端縁に側壁を立設しておけば、垂直の壁の塗装中にぼた落ちする塗料や飛散する塗料を一層効果的に塗料受けに導入することができる。【００１６】  請求項３に記載の考案は、相対する側壁に支持部を設け、該支持部に支持帯を取り外し自在に取り付けたから、例えば、支持部に支持帯を取り付けておき、塗装中に手が疲れたときは塗料受け本体及びローラーを首からぶら下げて手を休めたり、天井の角などを塗装するときはローラーを支持筒から取り外してローラーだけを手に持ち細かな塗装をしたりすることができる。そのような必要がないときは、支持帯を取り外しておけばよい。【００１７】  また、前記二つの支持部から略等距離にある側壁には支持鉤が取り付けられてあるから、その支持鉤を作業者の腰のバンド等にかければ、塗料受け本体は、図４（ｃ）に示したように、作業者の前面にしっかりと押し付けられ、塗料受け本体及びローラー又は塗料受け本体は支持部と支持鉤の三点で支持され、作業者の体と一体的に堅固に保持できるようになる。【００１８】  この状態は、特に垂直な壁などを塗装するときに最良の効果を発揮する。すなわち、作業者は、塗料受け前端縁を、体の前面によって塗装する垂直な壁に対し強く押し付けながら塗装を行うことができるから、塗装中にぼた落ちする塗料や飛散する塗料はすべて塗料受け内に収容される。  さらにまた、如上の状態にしたときは、作業者は両手が自由に使えるため、塗料受けに溜まった塗料を養生シートとともに取り除いて、塗料受けを新しいシートで覆ったり、すり減ったローラーを新しいローラーに取り換えたりするような塗装外の作業を自由に行うことができる。
【図面の簡単な説明】
【００１９】
【図１】本考案の実施例の斜視図で、（ａ）は塗装ローラー、（ｂ）は養生用シート、（ｃ）と（ｄ）は塗料受け本体を形成する塗料受け枠と塗装受け底板を示す。
【図２】（ａ）は塗料受け本体、（ｂ）は側壁の斜視図である。
【図３】（ａ）は塗料受け本体、（ｂ）は支持帯の斜視図である。
【図４】は本考案に係る塗装用養生具を用いて行う塗装作業を例示したもので、（ａ）は塗料の入ったローラーバケットを左手に持ちながらその左手の上部で塗料受け本体を受け止め、右手に持ったローラーをバケット内の塗料に浸してローラーに塗料を付けているところであり、（ｂ）は部屋の天井を塗装しているところであり、（ｃ）は支持帯と支持鉤で保持した塗料受け本体の前端縁の側壁を垂直な壁に押し付けながら、部屋の壁を塗装しているところを表わす。
【実施例】
【００２０】  塗料受けの平面図形はいろいろな形が採用できるが、一般には長方形が推奨される。塗料受けを長方形にしたときは、その周縁に取り付ける支持部５は、図３（ａ）に示したように、長方形の右辺または左辺の中央より少し前方に位置させる。そのようにすれば、支持帯６を首にかけたとき、長方形の手前側の辺には下向きの力がかかり略水平にした塗料受け本体１が体の前面に押し付けやすくなる。その手前側の辺に支持鉤７を取り付ければ、資料受け本体１は体の前面にさらに安定して堅固に押し付けられるようになる。【００２１】  皿状の塗装受けの素材は、アルミその他の軽くて丈夫で安価な素材が用いられる。木でもよいがアルミに劣る。図１に示したものは塗料受け枠１２に塗料受け底板１３を取り付けて形成されているが、これに限られるものではない。皿状であり、塗装用ローラー２の旋回範囲より広い面積をもった形状のものであれば充分である。塗装用ローラー２の把手８の上端に設ける支持片１０は、円環状でもよいし突起状でもよい。把手８を握った手の上部と支持片１０との間で塗料受け本体１を挟持できるようになっていれば足りる。【００２２】  養生用シート３は、安価であれば不透明なものであってもよい。しかし、最適なものとしては、透明で安価なサランラップをあげることができる。それは、天井などの塗装中、塗料受け及び養生用シート３を透かして塗装の状態を見ながら塗装を連続的に行うことができるからである。塗装状態が見られないままに塗装したときは、塗装後にその箇所を二度塗りしなければならないようなことが起こり得るし、二度塗りには塗料が二倍使われ、その仕上がりもあまり期待できない。
また、シート３は、その縁辺には図１（ｂ）のような粘着層１５が設けられているものが好ましい。それがあれば、塗装中シート３を塗料受け枠１２に妄りに動かないように接着しておくことができるからである。【００２３】  側壁４は、塗料受けの周縁に立設するが、必要に応じて全周縁か又は一部の周縁に立設する。側壁４の高さは作業環境その他の状況を考慮して定める。図２の（ａ）、（ｂ）に立設の仕方についての具体例を示す。側壁４の下辺に切り込み１６を穿っておき、それを塗料受け枠１２のビス１７で止めつける。添設した支え片１８とともに締め付ければ、側壁４はさらに強固に立設できる。【００２４】  図３に示した側壁４に設ける支持部５及び支持部５に取り外し自在に取り付ける支持帯６は、塗料受け本体１及び塗装用ローラー２の重量に加え蓄積される塗料の重量が十分に支えられるものとする。
図４に示した支持鉤７は、作業者のベルトや腹帯その他に容易に引っ掛けられる形のものとする。
【符号の説明】
【００２５】１    塗料受け本体
２    塗装ローラー
３    養生用シート
４    側壁
５    支持部
６    支持帯
７    支持鉤
８    把手
９    支持筒
１０  支持片
１１  挿入部
１２  塗料受け枠
１３  塗料受け底板
１４  ローラーバケット
１５  粘着層
１６  切り込み
１７  ビス
１８  支え片
【図１】
0003170546.tif 000003
【図２】
0003170546.tif 000004
【図３】
0003170546.tif 000005
【図４】
0003170546.tif 000006